(57)【要約】      （修正有）【課題】基礎スラブの鉄筋の高さを調整するための基礎スラブの鉄筋の高さ調整装置を提供する。【解決手段】本システムは索状物３００、起重装置４００、支持装置５００及び基礎スラブの鉄筋からなり、基礎スラブの鉄筋の高さを調整して基礎スラブの鉄筋を水平にして一致させ、建築構造全体を安定させて、土台が動揺して容易に損壊しないようにする。起重装置４００は支持装置５００と分離式に連接し、連接方法は係合や螺接など分離し易い連接方法を含む。起重装置４００は支持装置５００が基礎スラブの鉄筋の高さ調整装置２００の全体の水平位置を調整しようとする基礎スラブの鉄筋より高くすることができ、前記支持装置５００の一端は起重装置４００と分離式に連接し、支持装置５００の他端は水平面に支えられ、前記水平面は好ましくは地面７００であり、第一鉄筋層６１０でもよい。【選択図】図１
0003146982.tif 000002
【実用新案登録請求の範囲】
【請求項１】
基礎スラブの鉄筋の高さを調整するための基礎スラブの鉄筋の高さ調整装置であって、
第一鉄筋層と第二鉄筋層を含み、前記第一鉄筋層と前記第二鉄筋層の間に高さを有する基礎スラブの鉄筋と、
高さ調整装置とからなり、高さ調整装置は、
両端を前記基礎スラブの鉄筋に連接する索状物と、
一端を前記第一鉄筋層に置き、他端は前記第二鉄筋層を貫通して本体と分離式に連接する支持装置と、
本体と伸縮ポールを含む起重装置であって、前記伸縮ポールは地面に対して伸縮して前記本体と連接するものとを含み、
前記本体は前記伸縮ポールに支持力を提供することができ、複数のスナップリングと索状物を収納用するための凹部を形成することを特徴とする装置。
【請求項２】
前記索状物はスチールチェーン、チェーン、鉄製ロープ、棒鋼、炭素繊維、高張力繊維又はスチールロープによって実施されることを特徴とする請求項1に記載する装置。
【請求項３】
前記伸縮ポールの一端はさらに突起を含み、前記突起が前記索状物を限定することができることを特徴とする請求項1に記載する装置。
【考案の詳細な説明】
【技術分野】
【０００１】
本考案は基礎スラブの鉄筋の高さ調整装置に関し、具体的には前記装置によって基礎スラブの鉄筋の高さを水平にして一致させる基礎スラブの鉄筋の高さ調整システムに関する。
【背景技術】
【０００２】
従来、基礎スラブの鉄筋の調整方法は一般に人工的に基礎スラブの鉄筋を水平に調整するが、現代建築の安全面からのニーズが高まるにつれ、また台湾は土地が狭く人口が密集していることから、建築物はますますそのスペース利用が強調されて、ビルはどんどん高層化して占有面積も一層大きくなり、従ってこうした建築物の土台と重要な役割を果たす基礎スラブの鉄筋もいよいよ重要となってくる。
【０００３】
一般的常識では、底部鉄筋が水平であるか否かがその上に建築された建物に対して大きく影響する。所謂「わずかな誤差であっても、その差は千里にも匹敵する」ように、基礎スラブの鉄筋が水平であることがとても重要であることがわかる。充分に利用可能な装置や工具が無ければ、基礎スラブの鉄筋の高さが水平であることが往々にして犠牲にされてしまうのである。こうしたことに鑑みて、本考案人は上記の欠点を改善し解決するために、深く研究し、学術理論と併せて、合理的設計で効果的に上記欠点を改善する本考案を提出する。
【考案の開示】
【考案が解決しようとする課題】
【０００４】
本考案の主な目的は、基礎スラブの支持装置の機能によって基礎スラブの鉄筋構造の高さを調整して、鉄筋構造の弾力的使用を高めるための基礎スラブの鉄筋の高さ調整装置を提供することにある。
【０００５】
本考案の別の目的は、索状物と起重装置を組合せて基礎スラブを懸架し、施工効率を高めるための基礎スラブの鉄筋の高さ調整装置を提供することにある。
【課題を解決するための手段】
【０００６】
基礎スラブの鉄筋の高さ調整装置は、第一鉄筋層と第二鉄筋層を含み、前記第一鉄筋層と前記第二鉄筋層の間に高さを有する基礎スラブの鉄筋と高さ調整装置とからなり、前記高さ調整装置は両端を前記基礎スラブの鉄筋に連接する索状物と、一端を前記第一鉄筋層に置き他端は前記第二鉄筋層を貫通して本体と分離式に連接する支持装置と、本体と伸縮ポールを含む起重装置であって、前記伸縮ポールは地面に対して伸縮して前記本体と連接するものとを含み、
前記本体は前記伸縮ポールに支持力を提供することができ、複数のスナップリングと索状物を収納用するための凹部を形成する。
【考案を実施するための最良の形態】
【０００７】
以下、添付図面を参照して本考案の実施の形態を詳細に説明する。
【実施例１】
【０００８】
図1に示す基礎スラブの鉄筋の高さ調整装置２００は索状物３００と起重装置４００からなり、前記索状物３００の両端は基礎スラブの鉄筋の高さを調整しようとする箇所に連接すると調整を行うことができ、また索状物３００はスチールチェーン、チェーン、鉄製ロープ、棒鋼、炭素繊維、高張力繊維又はスチールロープで実施することができ、前記起重装置４００は本体４１０と伸縮ポール４２０からなり、本体４１０は伸縮ポール４２０に支持力を提供し、
伸縮ポール４２０は索状物３００の両端の間で索状物３００を支える。
【０００９】
また、起重装置４００は支持装置５００と分離式に連接し、連接方法は係合や螺接など分離し易い連接方法を含む。起重装置４００は支持装置５００が基礎スラブの鉄筋の高さ調整装置２００の全体の水平位置を調整しようとする基礎スラブの鉄筋より高くすることができ、前記支持装置５００の一端は起重装置４００と分離式に連接し、支持装置５００の他端は水平面に支えられ、前記水平面は好ましくは地面７００であり、第一鉄筋層６１０でもよい。支持装置５００は柱状物、棒状物、バー状物など支持機能に類似したものを提供することができる装置でよい（図7参照）。このほか、支持装置５００はスチール棒、鉄棒、炭素繊維棒およびヒドロナリウム棒で実施することもできる。
【００１０】
基礎スラブの鉄筋は第一鉄筋層６１０と第二鉄筋層６２０からなり、支持装置５００は地面７００に設置して、前記支持装置５００は基礎スラブの鉄筋の第一鉄筋層６１０上に設置することもでき、また索状物３００は同時に第二鉄筋層６２０に懸架して、起重装置４００が伸縮ポール４２０に支持力を提供することによって応力点と力点をそれぞれ第二鉄筋層６２０と地面７００（支持装置５００が地面７００に設置される場合）又は第一鉄筋層６１０（支持装置５００が地面７００に設置される場合）に位置させて、基礎スラブの鉄筋の高さ調整という目的を達することができる。また、基礎スラブの鉄筋の高さ調整システム１００は基礎スラブの鉄筋、高さ調整装置（上記起重装置、支持装置及び索状物を含む）からなり、上記の高さ調整という目的を達成するシステムである。
【００１１】
図2で示すように、前記索状物３００はスチールロープであって、その両端はそれぞれ可動式カラビナ３１０を固着し、調整のための鉄筋を容易く懸架することができる。一方、指示装置５００は本体４００の一端と連接してプラットホーム構造を形成し、本プラットホーム構造の四隅はノッチ構造である。また、起重装置４００の本体４１０のシャーシーは上記ノッチ構造内に滑動させて係合目的を達することができる。
【００１２】
図３で示すその他の実施例では、前記索状物３００はスチールチェーンである。スチールチェーンは一区切りずつ接続することから、全体の長さは異なる施工環境やニーズに応じて弾力的に調整することができ、さらに二箇所の応力点の求められるパワーが異なる場合、例えば基礎スラブの鉄筋が可動式カラビナ３１０の懸架箇所の高さに差異がある場合、伸縮ポール４２０が支持する索状物３００左右二箇所の長さを調整することによって、２つの応力点がそれぞれ必要な支持力を得て基礎スラブの鉄筋の水平高を一致させる。
【００１３】
図４ａ、図４ｂで示すように、伸縮ポール４２０の一端は突起４３０を含み、索状物３００を限定することができる。前記突起４３０は2個の突起ブロック４３１を含み、その間の間隙には少なくとも一つの索状物３００を収納することができる。また、索状物３００の移動範囲を限定して伸縮ポール４２０から脱落し難くすることができる。なお、突起４３０と伸縮ポール４２０は一体成形である。
【００１４】
図５、図６で示すように、前記伸縮ポール４２０はスナップリング４５０を含み、索状物３００の一端は基礎スラブの鉄筋に連接して他端は伸縮ポール４２０に連接し、且つ伸縮ポール４２０は前記索状物３００を支持して、基礎スラブの鉄筋を懸架する。索状物３００はスナップリング４５０を掛止するフック３５０を含み、可動式カラビナ３１０でフック３５０に代えてスナップリング４５０を掛止することもできる。前記起重装置４００は2本の索状物３００を駆動する。これに対して、その他の実施例では、伸縮ポール４２０は1本の索状物３００のみで基礎スラブの鉄筋を懸架して、基礎スラブの鉄筋の高さ調整という目的を達する。起重装置４００は地面７００に設置するが、基礎スラブの鉄筋の一端に設置して、伸縮ポール４２０で支持して索状物３００を懸架して基礎スラブの鉄筋の高さを調整し、また支持装置で起重装置４００を支えて基礎スラブの鉄筋の高さを調整することもできる。
【図面の簡単な説明】
【００１５】
【図１】本考案の動作概略図である。
【図２】本考案の好ましい実施例の概略図である。
【図３】本考案の別の実施例の概略図である。
【図４ａ】本考案のその他の実施例の概略図である。
【図４ｂ】本考案の実施例の部分平面図である。
【図５】本考案の別の好ましい実施例の概略図である。
【図６】本考案のその他の実施例の概略図である。
【図７】本考案のその他の実施例の概略図である。
【符号の説明】
【００１６】
１００  基礎スラブの鉄筋の高さ調整システム
２００  基礎スラブの鉄筋の高さ調整装置
３００  索状物
３１０  可動式カラビナ
３５０  フック
４００  起重装置
４１０  本体
４２０  伸縮ポール
４３０  突起
４３１  突起ブロック
４５０  スナップリング
５００  支持装置
６１０  第一鉄筋層
６２０  第二鉄筋層
７００  地面
【図１】
0003146982.tif 000003
【図２】
0003146982.tif 000004
【図３】
0003146982.tif 000005
【図４ａ】
0003146982.tif 000006
【図４ｂ】
0003146982.tif 000007
【図５】
0003146982.tif 000008
【図６】
0003146982.tif 000009
【図７】
0003146982.tif 000010